(57)【要約】      （修正有）【課題】白蟻が木材を食べ荒らす行動を詳しく観察することができる白蟻観察ケースを提供する。【解決手段】所定の大きさの枠体１０と、枠体内に周囲が沿う大きさで、枠体の前後に間隔を空けて並設される少なくとも一方が透視性のガラス板２０となった一対の板体と、板体の間に配置される複数の木片３１〜３６と、板体の間の木片の周囲に入れられる砂４０とを備え、砂は、木片が枠体から離れてガラス板の部分に配置されるように木片の周囲に入れられ、木片は、ガラス板を介して木片の加害状況が確認できるようにガラス板の内面と所定の隙間を空けた厚みに形成されている。【選択図】図２
0003199484.tif 000002
【実用新案登録請求の範囲】
【請求項１】
所定の大きさの枠体と、
前記枠体内に周囲が沿う大きさで、該枠体の前後に間隔を空けて並設される少なくとも一方が透視性のガラス板となった一対の板体と、
前記板体の間に配置される木片と、
前記板体の間の前記木片の周囲に入れられる砂と、
を備え、
前記砂は、前記木片が前記枠体から離れて前記ガラス板の部分に配置されるように該木片の周囲に入れられ、
前記木片は、前記ガラス板を介して該木片の加害状況が確認できるように前記ガラス板の内面と所定の隙間を空けた厚みに形成されている、ことを特徴とする白蟻観察ケース。
【請求項２】
前記木片は、異なる複数種類の木片が並設されている、請求項１に記載の白蟻観察ケース。
【請求項３】
前記枠体は、前記砂の部分に開口する白蟻入口を有している、請求項１又は２に記載の白蟻観察ケース。
【請求項４】
前記枠体は、前記木片と砂の湿度を保つための水補給口を有している、請求項１〜３のいずれか１項に記載の白蟻観察ケース。
【考案の詳細な説明】
【技術分野】
【０００１】
本考案は、白蟻が木材を食べ荒らす行動を観察するためのケースに関する。
【背景技術】
【０００２】
従来、白蟻による被害として、建物や家具などが食べ荒らされる被害が知られている。そのため、白蟻を駆除するための薬剤などについて研究されているが、白蟻が木材を食べ荒らす行動などについて詳しく観察できるものはない。
【０００３】
例えば、蟻の行動を観察する観察器として、透明な扁平容器内に湿った砂を入れ、この砂の中に蟻が巣作りをする行動を外部から観察するものがある（例えば、特許文献１参照）。しかし、この観察器は通常の蟻が巣作りをする行動を観察するものであり、白蟻が木材を食べ荒らす行動を観察できるものはない。
【０００４】
なお、白蟻を駆除するための先行技術として、透視性素材の容器内に白蟻の駆除剤を含ませた誘引剤を収容し、容器の外部から白蟻の有無またはその行動を目視で観察するものもある（例えば、特許文献２参照）。しかし、この先行技術も、白蟻が木材を食べ荒らす行動を観察できるものではない。
【先行技術文献】
【特許文献】
【０００５】
【特許文献１】実公平５−８８５０号公報
【特許文献２】特開２００４−１１３１０３号公報
【考案の概要】
【考案が解決しようとする課題】
【０００６】
ところで、白蟻が木材を食べ荒らす行動を観察することによって、例えば、建築物を構成する木材の種類に応じた白蟻被害の状況や、白蟻に対する対策などについて検討することができる。しかし、上記したように、白蟻が木材を食べ荒らす行動を詳しく観察できるものはない。
【０００７】
そこで、本考案は、白蟻が木材を食べ荒らす行動を詳しく観察することができる白蟻観察ケースを提供することを目的とする。
【課題を解決するための手段】
【０００８】
上記目的を達成するために、本考案は、所定の大きさの枠体と、前記枠体内に周囲が沿う大きさで、該枠体の前後に間隔を空けて並設される少なくとも一方が透視性のガラス板となった一対の板体と、前記板体の間に配置される木片と、前記板体の間の前記木片の周囲に入れられる砂と、を備え、前記砂は、前記木片が前記枠体から離れて前記ガラス板の部分に配置されるように該木片の周囲に入れられ、前記木片は、前記ガラス板を介して該木片の加害状況が確認できるように前記ガラス板の内面と所定の隙間を空けた厚みに形成されている。この明細書及び実用新案登録請求の範囲の書類中における「木片」は、木材の一部を適切な大きさに切断した断片であり、木材と同一材である。
【０００９】
この構成により、枠体内に並設された板体の間に木片が入れられ、その周囲に砂が入れられた状態の白蟻観察ケースを構成することができる。この白蟻観察ケースにより、少なくとも透視性のガラス板となっている側から、白蟻が内部に入れられた木片を食べ荒らす行動を詳しく観察することができる。
【００１０】
また、前記木片は、異なる複数種類の木片が並設されていてもよい。このように構成すれば、白蟻が好む木材から順に食べ荒らす行動を観察することができ、白蟻に食われ易い木材と食われ難い木材と、その加害が進行する状況などを観察することができる。
【００１１】
また、前記枠体は、前記砂の部分に開口する白蟻入口を有していてもよい。このように構成すれば、前後に並設された板体の間に木片と砂とを入れた状態から、白蟻入口から白蟻を入れて、白蟻が通路を形成する行動の観察や、木片への加害行動を観察することができる。
【００１２】
また、前記枠体は、前記木片と砂の湿度を保つための水補給口を有していてもよい。このように構成すれば、水補給口から水を補給して内部の砂や木片を白蟻が好む湿度に長期間保つことができる。
【考案の効果】
【００１３】
本考案によれば、白蟻が木片を食べ荒らす行動を外部から観察することができるので、白蟻が好む木材の種類や加害の進行状況などを観察することができ、白蟻の行動を目視で詳しく観察することが可能となる。
【図面の簡単な説明】
【００１４】
【図１】図１は、本考案の一実施形態に係る白蟻観察ケースを示す斜視図である。
【図２】図２は、図１に示す白蟻観察ケースの正面図である。
【図３】図３は、図２に示すIII−III矢視の断面図である。
【図４】図４は、図２に示す白蟻観察ケースにおける木片の加害状況を示す正面図である。
【考案を実施するための形態】
【００１５】
以下、本考案の実施形態を図面に基づいて説明する。以下の実施形態では、複数の異なる種類の木片を入れた白蟻観察ケース１を例に説明する。また、この実施形態では、枠体１０の前後に透視性のガラス板２０，２１を並設した例を説明する。この明細書及び実用新案登録請求の範囲の書類中における前後左右方向の概念は、図２に示す白蟻観察ケース１に向かった状態における前後左右方向の概念と一致するものとする。
【００１６】
図１に示すように、この実施形態の白蟻観察ケース１は、矩形状に形成された枠体１０の内側に、前後に所定の間隔を空けてガラス板２０，２１（図３）が設けられ、そのガラス板２０（表側），２１（裏側）の間に木片３０と砂４０とが入れられている。この実施形態では、ガラス板２０，２１の間に複数の木片３１〜３６が配置されている。
【００１７】
図２，３にも示すように、上記枠体１０は、例えば、４０ｃｍ×４０ｃｍ程度の大きさの矩形状に形成され、厚みは１．５ｃｍ程度に形成されている。このような大きさに形成することで、持ち運び易く、観察などに適した大きさとしている。枠体１０の材質としては、例えば、アルミニウム製とすることで軽量化できる。枠体１０は、アルミニウム以外に、例えばステンレスなどを用いることもできる。
【００１８】
枠体１０の上部には、枠体１０の内部に白蟻を入れる白蟻入口１１が設けられている。この実施形態では、この白蟻入口１１が、枠体１０内に水を補給するための水補給口１２を兼ねている。白蟻入口１１と水補給口１２とを１箇所にすることで、白蟻を入れて閉鎖する部分を少なくしている。白蟻入口１１（水補給口１２）の閉鎖方法としては、例えば、キャップによる閉鎖や、テープによる閉鎖とすることができる。図示する二点鎖線は、白蟻入口１１に接続されるパイプ１５であり、枠体１０の内部に白蟻を入れる場合や、水を補給する場合に接続される。
【００１９】
なお、水補給口１２としては、複数箇所に設けてもよい。この水補給口１２から所定量の水を枠体１０の内部に供給することで、砂４０と木片３０の湿度を保つことができる。砂４０と木片３０の湿度としては、例えば、３０％程度を下回らないように保つのが好ましい。
【００２０】
上記ガラス板２０，２１は、例えば、２ｍｍ〜３ｍｍ程度の板ガラスが利用できる。上記枠体１０の内側に入れられるガラス板２０，２１は、例えば、前後方向に６〜８ｍｍ程度の空間を形成するように、間隔を空けて並設されている。
【００２１】
そして、このガラス板２０，２１の間に入れられる木片３０としては、この実施形態では、白蟻に食われ易い木材か食われ難い木材かと、その加害が進行する状況を観察するために、６種類の木片３０が入れられている。図示する左端から、第１木片３１、第２木片３２、第３木片３３、第４木片３４、第５木片３５、第６木片３６と呼ぶ。これらの木片３１〜３６を総称する場合、単に「木片３０」という。
【００２２】
木片３１〜３６としては、日本において建築材料等に利用されている木材が用いられる。例えば、ＳＰＦ材（Spruce（スプルース＝トウヒ）、Pine（パイン＝松）、Fir（ファー＝モミの木）の頭文字をとって総称した木材）、パイン材、スギ材、ヒノキ材、ホワイトウッド材、ラワン材などが入れられる。この実施形態では、第１木片３１としてＳＰＦ材、第２木片３２としてパイン材、第３木片３３としてスギ材、第４木片３４としてヒノキ材、第５木片３５としてホワイトウッド材、第６木片３６としてラワン材が入れられている。この実施形態では、ガラス板２０に「１」〜「６」のシールを貼付している。
【００２３】
また、木片３０の大きさとしては、上記枠体１０の大きさに応じて決定すればよいが、この実施形態では、例えば、幅が２０ｍｍ、長さが２００ｍｍ、厚みが６ｍｍ程度のものが用いられている。木片３０をこのような大きさとすることで、各木片３１〜３６の周囲と枠体１０との間に砂４０を入れて、木片３０を枠体１０から離したガラス板２０，２１の部分に配置している。これにより、白蟻が砂４０に通路を形成し、これらの木片３１〜３６をどのように加害していくかをガラス板２０，２１越しに観察することができる。
【００２４】
さらに、木片３０は、ガラス板２０，２１の間の空間よりも少し薄い厚みで形成されている。これにより、木片３０とガラス板２０，２１との間を、砂４０が入り込み難い、狭い隙間２５としている。また、この隙間２５により、水分を含んだ木片３０が膨張したとしても、ガラス板２０，２１に内側から応力を与えないようにしている。
【００２５】
上記砂４０は、木片３１〜３６の周囲に入れられており、この砂４０によって木片３１〜３６が枠体１０から離れたガラス板２０，２１の部分に保持されている。砂４０としては、一般的な砂を用いることができ、湿った状態で用いられる。この砂４０と各木片３１〜３６は所定の湿度を保つことが好ましく、上記したように、例えば、３０％程度を下回らないように、湿度が低下した場合には上記水補給口１２からガラス板２０，２１の間に水が補給される。また、この白蟻観察ケース１によって白蟻を観察する場合、例えば、５月〜６月の気温と同程度に内部温度を保つことで、白蟻が最も行動する季節における観察ができる。この白蟻観察ケース１の中に、例えば、白蟻が２００〜３００匹程度入れられる。
【００２６】
図４は、上記白蟻観察ケース１に白蟻を入れ、所定期間（例えば、約１ヶ月）放置した後、白蟻を出した後の白蟻観察ケース１を示す正面図である。
【００２７】
上記図２に示す状態の白蟻観察ケース１内に白蟻入口１１から白蟻を入れると、図４に示すように、砂４０に通路４１を作って木片３１〜３６のいずれかに到達して、そこを巣にして棲みつく。白蟻は、数種類の木片３１〜３６のうち、一番食べやすい物から食べ始め、それを食べ尽くすと、新たな通路４１を作って食べやすい順番で次々と木片３１〜３６を移動する。
【００２８】
図示する細い輪郭線４５は、木片３０の周囲の砂４０が無くなった空間部分を示しており、上記白蟻観察ケース１の場合には、第２木片３２が食べ尽くされているので、第２木片３２は白蟻が一番食べやすい木片といえる。その次に、第５木片３５に大きな加害が見られるので、第５木片３５は二番目に食べやすい木片はといえる。その次は、第１木片３１と第６木片３６とが食べやすい木片といえる。
【００２９】
一方、第２木片３２と第５木片３５との間には、第３木片３３と第４木片３４とがあるが、これらの第３木片３３と第４木片３４とはほとんど加害されていないので、これらは白蟻の加害を受けにくい木片といえる。
【００３０】
このような結果から、白蟻は、最初に第２木片３２のパイン材を食べ尽くした後、第５木片３５のホワイトウッド材を食べ荒し、一部の白蟻は第１木片３１のＳＰＦ材と第６木片３６のラワン材を食べ始めていたことがわかる。そのため、パイン材とホワイトウッド材は白蟻による加害を受けやすく、ＳＰＦ材とラワン材は次に加害を受けやすく、スギ材とヒノキ材は加害を受けにくい木材であることが観察できる。なお、目視で上記加害の進行状況等を観察することもできる。
【００３１】
また、この実施形態では、白蟻観察ケース１の前面及び後面に透視性のガラス板２０，２１を設けているため、後側からも白蟻による加害状況を観察することができる。
【００３２】
以上のように、上記白蟻観察ケース１によれば、ガラス板２０，２１を介して白蟻の行動を観察することができるので、白蟻が好む木片３１〜３６の種類や、その食べ荒らされる様子などを細かく観察することが可能となる。
【００３３】
また、白蟻が木片３１〜３６を食べ荒らす行動を観察することで、建築材などの選択や対策などを検討する場合の情報収集も可能となる。
【００３４】
なお、上記した実施形態では、矩形の枠体１０を例にしているが、枠体１０の形状や大きさなどは限定されるものではない。また、枠体１０の内側に入れられる板体は、少なくとも一方が透視性のガラス板２０（２１）であれば内部を観察することができるの、ガラス板２０（２１）は片面でもよい。
【００３５】
さらに、白蟻観察ケース１に入れる木片３１〜３６の種類も、複数種類を入れるのが好ましいが、例えば、同じ木片３１〜３６で産地が異なるものを複数入れたり、樹齢の異なるものを複数入れたりすることもでき、木片３１〜３６の数や種類なども上記実施形態に限定されるものではない。
【００３６】
また、上記した実施形態は一例を示しており、本考案の要旨を損なわない範囲での種々の変更は可能であり、本考案は上記した実施形態に限定されるものではない。
【符号の説明】
【００３７】
１  白蟻観察ケース
１０  枠体
１１  白蟻入口
１２  水補給口
２０，２１  ガラス板
２５  隙間
３０  木片
３１  第１木片
３２  第２木片
３３  第３木片
３４  第４木片
３５  第５木片
３６  第６木片
４０  砂
４１  通路
【図１】
0003199484.tif 000003
【図２】
0003199484.tif 000004
【図３】
0003199484.tif 000005
【図４】
0003199484.tif 000006